(57)【要約】      （修正有）【課題】携帯に便利でしかも、遠くからも見易いゴルフマーカーとなり得るゴルフティーを提供する。【解決手段】ゴルフティーは、基台１と載置部３から構成され、基台には載置部の一部をなす球状体と圧接篏合してなる一対の支柱を有する。載置部は円筒部の周りに鍔部を有し該鍔部が支柱上端に接することにより、載置部の垂直状態維持を可能ならしめる。基台はゴルフマーカー４となり得る円盤状の錘２を有する。【選択図】図２
0003227128.tif 000002
【実用新案登録請求の範囲】
【請求項１】
基台と載置部から構成され、基台には載置部の一部をなす球状体と圧接篏合してなる一対の支柱を有することを特徴とするゴルフティー。
【請求項２】
載置部は円筒部の周りに鍔部を有し該鍔部が支柱上端に接することにより、載置部の垂直状態維持を可能ならしめることを特徴とした請求項1記載のゴルフティー。
【請求項３】
基台はゴルフマーカーとなり得る円盤状の錘を有することを特徴とする請求項１記載のゴルティー。
【考案の詳細な説明】
【技術分野】
【０００１】
本考案は、地表置き型と呼ばれるゴルフティーに関するものである。
【背景技術】
【０００２】
一般にゴルフティーと称されるものは総称して、地表差込み型と呼ばれるものと地表
置き型と呼ばれるものとに分類される。
【０００３】
地表差込み型と呼ばれるものは文字通り、ゴルフティー載置部と一体に形成される差込み部を地表から地中に差し込んでゴルフティーを固定して使用するものである。
【０００４】
しかしながら、地表差込み型は冬場や寒冷地において地表が凍結状態にある時には、
ティーを差し込むには、相当な力が必要で、到底差し込めないような場合もある。
【０００５】
そのような状態を回避するために考案されたのが地表置き型と呼ばれるもので、様々な
特許・意匠登録が出願されている。
【０００６】
ところが地表置き型においては、ゴルフプレー中等、移動時にはポケット等にしまい込むには嵩張ってしまい不便を感じることも少なくなかった。
【０００７】
一方、ゴルフプレー中には自分の打った打球のグリーン上の着地位置を明確にするために、ゴルフマーカー呼ばれる円盤状のものを置いてその位置を目印に次のプレーを始めることになっている。
【０００８】
他方、ロングパットと呼ばれる状況時には、カップ位置とマーカー位置の関係を測るため、離れたカップ位置付近からマーカーを見ることがあり、この状況においては従来のマーカーでは、遠くからは見にくいものとなっている。
【先行技術文献】
【非特許文献】
【０００９】
【非特許文献−１】意匠登録１５４７７９４
【特許文献】
【００１０】
【特許文献−１】実用新案登録第３１８６７４２号
【考案の概要】
【考案が解決しようとする課題】
【００１１】
本考案は地表置き型ゴルフティーを設置する場合に、容易に倒れることなく安定して設置でき、持ち運ぶ場合には嵩張ることなくは容易に折り畳みできることを可能しとし、ゴルフプレー中にはゴルフマーカーとして利用できることを目的としている。
【課題を解決するための手段】
【００１２】
上記課題を解決するため、本考案によるゴルフティーは基台、錘部、ゴルフボール
載置部から構成されている。。
【００１３】
基台には設置を安定ならしめるため、面状の錘と該錘に対応した円筒状の窪みが設けられている。
【００１４】
又、基台からは２本の細長い支柱が相対して上方に突出しており、該支柱の上方付近にはゴルフボール載置部の下方に設けられた球状体が２本の支柱間に挟まれて若干の抵抗をもって回動自在に篏合するようになっている。
【００１５】
一方、ゴルフティー載置部上方にはゴルフボールを受けるための半球状の一部をなす浅い窪みが設けられるとともに、下方には球状体が、基台上に設けられた一対の支柱間での篏合のために設けられている。
【００１６】
更に、ゴルフティーの球状体は小円筒部でゴルフボール載置部と連結されており、該球状体の少し上方には円形の鍔が小円筒部の周りに設けてあって、載置部を基台に対し垂直に保つ手段として働くとともに、垂直方向と逆の方向には折り畳みのため載置部が倒れるように支柱の一部を載置部鍔との干渉を避けるため一部をカットしてある。
【００１７】
上述の如く構成されたゴルフティーは、プレー時にはゴルフボール載置部を基台に対し垂直に立てて使用し、移動時には該載置部を基台に対し水平状態に折り畳んでポケット等に収納し易くし、ゴルフボールの着地点への目印であるゴルフマーカーとして使用する場合には、折り畳み状態、或いは載置部を起こした状態でも使用することが出来る。この場合、錘、載置部には目立つ色、模様等を付けておくことが望ましい。
【考案の効果】
【００１８】
本考案によるとゴルプレー時の打球状態おいては、おもりの効果で安定したゴルフティーの設置が可能となり、移動時には折り畳んでポケット等に収納可能となり、ゴルフボールのグリーン上の着地点ではゴルフマーカーとして使用できるので利用価値大である。
【実施例】
【００１９】
図１は従来の地表置き型のゴルフティーを示す斜視図、図２は本考案によるゴルフティーの打球状態での斜視図、図３は本考案によるゴルフティーの折り畳み状態を示す斜視図である。
【００２０】
本考案のゴルフティーは基台１、錘２、載置部３より構成されており、更に載置部はゴ
ルフボール受け部３−a、該ゴルフボール受け部３−aから下方に押し出された円筒部３−bを有し、該円筒部途中には円形の鍔３−cを、下端部には球状体３−dを有している。
【００２１】
基台１には錘２を配置するための段落ちした窪み、１−a、載置部３保持のための２本の相対する支柱１−b、１−c、が設けられ該２本の支柱の上方には、載置部３の下端に設けられた球状体３−dと篏合する球面状に抉られた相対する窪み１−dを有しており、球状体３−dは２本の支柱１−b、１−cと圧接状態にある。
【００２２】
このように構成された本考案のゴルフティーでは載置部３の鍔３−cの裏面が支柱１−b、１−cの上端１−dに接する状態にある時には打球待ちの状態となり、この打球待ちの状態から逆方向に倒せば収納状態となる。本実施例ではピン４を設けることで載置部３の動きを１方向に規制しているが、無くても特に支障はない。
【００２３】
従って、本考案のゴルフティーは載置部３が基台１に対し垂直状態にあるときは打球待ちの状態、略水平状態にある時にはポケット等への収納状態、又は目立つゴルフマーカーとしての機能を提供することができる。
【図面の簡単な説明】
【００２４】
【図１】従来の地表置き型のゴルフティーを示す斜視図
【図２】本考案によるゴルフティーの打球状態での斜視図
【図３】本考案によるゴルフティーの折り畳み状態を示す斜視図
【図４】本考案によるゴルフティーの縦方向の断面図
【図５】本考案による基台
【図６】本考案による載置部
【図７】一般のゴルフマーカーの斜視図
【図８】一般の地表差込み型のゴルフティー
【符号の説明】
【００２５】
１  基台
１−a 錘配置のための窪み
１−b、1−c 支柱
１−d 球面状の窪み(対向支柱は同様のため明示せず)
１−e 支柱上端部
２  錘
３  載置部
３−a ゴルフボール受け部
３−b 円筒部
３−c 鍔
３−d 球状体
４  ゴルフマーカー
【図１】
0003227128.tif 000003
【図２】
0003227128.tif 000004
【図３】
0003227128.tif 000005
【図４】
0003227128.tif 000006
【図５】
0003227128.tif 000007
【図６】
0003227128.tif 000008
【図７】
0003227128.tif 000009
【図８】
0003227128.tif 000010